【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
印刷用のデータを作成する少なくとも１つ以上のクライアントと、プリントサービスの印刷データの管理、印刷加工処理、オーダの入力または管理を行うサーバと、印刷データの印刷処理を行うショップシステムから構成されるプリントサービスシステムにおいて、
印刷データを保存する記憶手段と、
当該保存する領域を特定のフォルダに割り当てて管理する手段と、
該特定のフォルダに印刷データを加工する情報を保持する手段と、
前記特定のフォルダに印刷処理のオーダ情報を保持する手段と、
前記印刷データが前記特定のフォルダに投入されたことによりイベントが発生する手段と、
該イベントにより、前記特定のフォルダ内の印刷データの内容を確認する手段と、
前記印刷データを、加工する情報に基づいて入力すべき印刷加工の設定情報を書き換える手段と、
前記印刷データを、前記印刷処理のオーダ情報に基づいて入力すべきオーダの設定情報を書き換える手段と
を備えたことを特徴とするプリントサービスシステム。
【請求項２】
印刷データを処理するクライアント装置において、
データを記憶する記憶手段に格納された印刷データを該記憶手段または他の記憶手段に含まれるエリアに転送する転送手段と、
該印刷データに含まれる印刷データを印刷する際に使用する付加情報を設定する設定手段と、
一度前記設定手段により付加情報が設定され前記印刷データの印刷処理が行われると該付加情報を取得して保持し、前記転送手段により他の印刷データが転送されるのを監視する監視手段と、
該監視手段が、印刷データが転送されるのを認識するのに応答して、付加情報を用いて当該保持された印刷データに含まれる印刷データの印刷処理を行う印刷制御手段と
を備えたことを特徴とするクライアント装置。
【請求項３】
前記印刷制御手段は、前記転送手段により転送された他の印刷データと前記付加情報とを保持する格納手段と、前記他の印刷データが転送されるとイベントを発生させ、該イベントにより該印刷データに含まれる印刷データの印刷処理を行う印刷処理手段とを含み、
前記印刷処理が行われる前、前記格納手段は予め付与された付加情報を保持しており、一度前記設定手段により付加情報が設定され印刷処理が行われると、該付加情報を前記設定手段から取得し、前記予め付与された付加情報に替えて保持することを特徴とする請求項２に記載のクライアント装置。
【請求項４】
前記印刷制御手段は、前記転送手段により転送された他の印刷データを保持する格納手段と、前記付加情報を保持し、前記他の印刷データが転送されるとイベントを発生させ、該イベントにより該印刷データに含まれる印刷データの印刷処理を行う印刷処理手段とを含み、
前記印刷処理が行われる前、前記処理手段は予め付与された付加情報を保持しており、一度前記設定手段により付加情報が設定され印刷処理が行われると、該付加情報を前記設定手段から取得し、前記予め付与された付加情報に替えて保持することを特徴とする請求項２に記載のクライアント装置。
【請求項５】
前記付加情報は、印刷データの体裁情報または印刷処理のオーダ情報を含むことを特徴とする請求項３または４に記載のクライアント装置。
【請求項６】
前記印刷データの体裁情報または前記印刷処理のオーダ情報は、各々別に保持されることを特徴とする請求項５に記載のクライアント装置。
【請求項７】
前記印刷処理の内容を確認するか否か設定する確認設定手段をさらに備え、
前記印刷制御手段は、前記確認設定手段によって前記印刷処理の内容を確認すると設定された場合、前記印刷処理の内容を表示し、前記付加情報に対するさらなる変更を受け取ったときは、当該変更を行う確認変更手段を含むことを特徴とする請求項２ないし６のいずれかに記載のクライアント装置。
【請求項８】
データを記憶する記憶手段に格納された印刷データを該記憶手段または他の記憶手段に含まれるエリアに転送する転送手段と、該印刷データに含まれる印刷データを印刷する際に使用する付加情報を設定する設定手段と、ネットワークを介して印刷データに含まれる印刷データの印刷指示を送信する送信手段とを含む１つまたは複数のクライアント装置と、該１つまたは複数のクライアント装置から受信した印刷指示に基づいて前記印刷データを管理するサーバと、該サーバにより管理された該印刷データに含まれる印刷データを前記付加情報に基づいて印刷するショップシステムとを備えたプリントサービスシステムにおいて、
一度前記設定手段により付加情報が設定され前記印刷データの印刷処理が行われると該付加情報を取得して保持し、前記転送手段により他の印刷データが転送されると該印刷データを保持する格納手段を備え、
前記クライアント装置は、前記印刷指示として前記格納手段を示す情報を送信し、前記サーバは該格納手段を示す情報を受信すると当該保持された付加情報に基づいて当該保持された印刷データに含まれる印刷データの印刷処理を行うよう前記ショップシステムに要求することを特徴とするプリントサービスシステム。
【請求項９】
１つまたは複数のクライアント装置が、転送手段によりデータを記憶する記憶手段に格納された印刷データを該記憶手段または他の記憶手段に含まれるエリアに転送し、設定手段により該印刷データに含まれる印刷データを印刷する際に使用する付加情報を設定し、送信手段によりネットワークを介して印刷データに含まれる印刷データの印刷指示を送信するステップと、サーバが該１つまたは複数のクライアント装置から受信した印刷指示に基づいて前記印刷データを管理するステップと、ショップシステムが該サーバにより管理された印刷データに含まれる印刷データを前記付加情報に基づいて印刷するステップとを備えたプリントサービス方法において、
一度前記設定手段により付加情報が設定され前記印刷データの印刷処理が行われると、格納手段に該付加情報を取得して保持するステップと、
前記転送手段により他の印刷データが前記格納手段に転送されると、該格納手段に該印刷データを保持し、前記クライアント装置が、前記印刷指示として格納手段を示す情報を送信するステップと、
前記サーバが、該格納手段を示す情報を受信すると当該保持された付加情報に基づいて当該保持された印刷データに含まれる印刷データの印刷処理を行うよう前記ショップシステムに要求するステップと
を備えたことを特徴とするプリントサービス方法。
【手続補正２】
【補正対象書類名】明細書
【補正対象項目名】０００５
【補正方法】変更
【補正の内容】
【０００５】
このような目的を達成するため、本発明の請求項１に記載の発明は、印刷用のデータを作成する少なくとも１つ以上のクライアントと、プリントサービスの印刷データの管理、印刷加工処理、オーダの入力または管理を行うサーバと、印刷データの印刷処理を行うショップシステムから構成されるプリントサービスシステムにおいて、印刷データを保存する記憶手段と、保存する領域を特定のフォルダに割り当てて管理する手段と、特定のフォルダに印刷データを加工する情報を保持する手段と、特定のフォルダに印刷処理のオーダ情報を保持する手段と、印刷データが特定のフォルダに投入されたことによりイベントが発生する手段と、イベントにより、特定のフォルダ内の印刷データの内容を確認する手段と、印刷データを、加工する情報に基づいて入力すべき印刷加工の設定情報を書き換える手段と、印刷データを、印刷処理のオーダ情報に基づいて入力すべきオーダの設定情報を書き換える手段とを備えたことを特徴とする。
【手続補正３】
【補正対象書類名】明細書
【補正対象項目名】０００６
【補正方法】変更
【補正の内容】
【０００６】
請求項２に記載の発明は、印刷データを処理するクライアント装置において、データを記憶する記憶手段に格納された印刷データを記憶手段または他の記憶手段に含まれるエリアに転送する転送手段と、印刷データに含まれる印刷データを印刷する際に使用する付加情報を設定する設定手段と、一度設定手段により付加情報が設定され印刷データの印刷処理が行われると付加情報を取得して保持し、転送手段により他の印刷データが転送されるのを監視する監視手段と、監視手段が、印刷データが転送されるのを認識するのに応答して、付加情報を用いて保持された印刷データに含まれる印刷データの印刷処理を行う印刷制御手段とを備えたことを特徴とする。
【手続補正４】
【補正対象書類名】明細書
【補正対象項目名】０００７
【補正方法】変更
【補正の内容】
【０００７】
請求項３に記載の発明は、請求項２に記載のクライアント装置において、印刷制御手段は、転送手段により転送された他の印刷データと付加情報とを保持する格納手段と、他の印刷データが転送されるとイベントを発生させ、イベントにより印刷データに含まれる印刷データの印刷処理を行う印刷処理手段とを含み、印刷処理が行われる前、格納手段は予め付与された付加情報を保持しており、一度設定手段により付加情報が設定され印刷処理が行われると、付加情報を設定手段から取得し、予め付与された付加情報に替えて保持することを特徴とする。
【手続補正５】
【補正対象書類名】明細書
【補正対象項目名】０００８
【補正方法】変更
【補正の内容】
【０００８】
請求項４に記載の発明は、請求項２に記載のクライアント装置において、印刷制御手段は、転送手段により転送された他の印刷データを保持する格納手段と、付加情報を保持し、他の印刷データが転送されるとイベントを発生させ、イベントにより印刷データに含まれる印刷データの印刷処理を行う印刷処理手段とを含み、印刷処理が行われる前、処理手段は予め付与された付加情報を保持しており、一度設定手段により付加情報が設定され印刷処理が行われると、付加情報を設定手段から取得し、予め付与された付加情報に替えて保持することを特徴とする。
【手続補正６】
【補正対象書類名】明細書
【補正対象項目名】００１２
【補正方法】変更
【補正の内容】
【００１２】
請求項８に記載の発明は、データを記憶する記憶手段に格納された印刷データを記憶手段または他の記憶手段に含まれるエリアに転送する転送手段と、印刷データに含まれる印刷データを印刷する際に使用する付加情報を設定する設定手段と、ネットワークを介して印刷データに含まれる印刷データの印刷指示を送信する送信手段とを含む１つまたは複数のクライアント装置と、１つまたは複数のクライアント装置から受信した印刷指示に基づいて印刷データを管理するサーバと、サーバにより管理された印刷データに含まれる印刷データを付加情報に基づいて印刷するショップシステムとを備えたプリントサービスシステムにおいて、一度設定手段により付加情報が設定され印刷データの印刷処理が行われると付加情報を取得して保持し、転送手段により他の印刷データが転送されると印刷データを保持する格納手段を備え、クライアント装置は、印刷指示として格納手段を示す情報を送信し、サーバは格納手段を示す情報を受信すると保持された付加情報に基づいて保持された印刷データに含まれる印刷データの印刷処理を行うようショップシステムに要求することを特徴とする。
【手続補正７】
【補正対象書類名】明細書
【補正対象項目名】００１３
【補正方法】変更
【補正の内容】
【００１３】
請求項９に記載の発明は、１つまたは複数のクライアント装置が、転送手段によりデータを記憶する記憶手段に格納された印刷データを記憶手段または他の記憶手段に含まれるエリアに転送し、設定手段により印刷データに含まれる印刷データを印刷する際に使用する付加情報を設定し、送信手段によりネットワークを介して印刷データに含まれる印刷データの印刷指示を送信するステップと、サーバが１つまたは複数のクライアント装置から受信した印刷指示に基づいて印刷データを管理するステップと、ショップシステムがサーバにより管理された印刷データに含まれる印刷データを付加情報に基づいて印刷するステップとを備えたプリントサービス方法において、一度設定手段により付加情報が設定され印刷データの印刷処理が行われると、格納手段に付加情報を取得して保持するステップと、転送手段により他の印刷データが格納手段に転送されると、格納手段に印刷データを保持し、クライアント装置が、印刷指示として格納手段を示す情報を送信するステップと、サーバが、格納手段を示す情報を受信すると保持された付加情報に基づいて保持された印刷データに含まれる印刷データの印刷処理を行うようショップシステムに要求するステップとを備えたことを特徴とする。